(57)【特許請求の範囲】
【請求項１】
上方に開口する箱状の本体と、この本体とは離間可能でありかつこの本体に収容されうる蓋体とを備えており、
上記本体が、枠部と、この枠部の上縁に位置しかつその上にこの本体より外側に張り出した炉縁を載置しうる鍔部とを有しており、
上記本体に上記蓋体が収容された状態で上記蓋体によって上記本体の開口が塞がれ、上記蓋体の上に上記本体が載置されることで上記本体の位置が高められるように構成されており、
上記鍔部が上記枠部より外側に張り出した茶道用の置炉と風炉との兼用炉。
【請求項２】
上記本体が、上記鍔部の上に配置されたストッパーをさらに備えており、
上記鍔部に上記炉縁が載置されたとき、この炉縁が上記ストッパーに当接することで、上記炉縁の移動が規制されうるように構成された請求項１に記載の兼用炉。
【発明の詳細な説明】
【技術分野】
【０００１】
本発明は、茶釜を加熱するために用いられる茶道用の炉に関する。
【背景技術】
【０００２】
正式な茶室は、本炉を有している。本炉は、床を掘り下げて形成される。本炉の周縁には、炉縁が置かれる。
【０００３】
本炉の作成には、手間と費用とがかかる。さらに、本炉を用いた茶道では、点前の場所が限定される。
【０００４】
茶道において、置炉が用いられることがある。置炉は、本炉に代えて用いられる。置炉は、箱状である。置炉は、畳の上に置いて用いられる。置炉の上には、炉縁が置かれる。炉縁が用いられることで、置炉が本炉に近い趣を呈する。置炉の中には、茶釜と、熱源である炭が収容される。置炉は、本炉に比べて費用がかからない。置炉は、持ち運びされうる。置炉の一例が、特開平７−２２７３５６号公報に開示されている。
【０００５】
夏場の茶道では、気温及び水温が高いので、冬場の茶道に比べて湯が温まりやすい。夏場の茶道には、炭は多くは必要ない。夏場の茶道では、置炉に代えて風炉が用いられている。風炉の一例が、特開２０１０−５４１５０公報に開示されている。
【０００６】
近年の茶道では、湯を温める熱源として、炭ではなく、電気が用いられている。具体的には、電熱器や誘導加熱器（ＩＨヒーター）が用いられている。電気を熱源とした場合、熱量の制御は容易である。電気を熱源とした茶道では、もはや置炉と風炉とを使い分ける必要は無い。
【０００７】
しかし茶道では、今でも、冬場に置炉を使い、夏場に風炉を使う風習が残っている。この使い分けは、茶道の風情の１つである。
【先行技術文献】
【特許文献】
【０００８】
【特許文献１】特開平７−２２７３５６号公報
【特許文献２】特開２０１０−５４１５０公報
【発明の概要】
【発明が解決しようとする課題】
【０００９】
置炉と風炉との両方を所有することは、茶人にとって負担である。置炉と風炉との両方を所有すると、広い収納スペースが必要である。
【００１０】
本発明の目的は、置炉の機能と風炉の機能とを兼ね備えた板炉の提供にある。
【課題を解決するための手段】
【００１１】
本発明に係る茶道用の兼用炉は、上方に開口する箱状の本体と、この本体とは離間可能でありかつこの本体に収容されうる蓋体とを備える。この本体は、枠部と、この枠部の上縁に位置しかつその上に炉縁を載置しうる鍔部とを有する。この兼用炉は、本体に蓋体が収容された状態で、蓋体によって本体の開口が塞がれるように構成されている。この兼用炉はさらに、蓋体の上に本体が載置されることで、本体の位置が高められるように構成されている。
【００１２】
好ましくは、蓋体は、鍔部の上に配置されたストッパーをさらに備える。鍔部に炉縁が載置されたとき、この炉縁がストッパーに当接することで、炉縁の移動が規制されうる。
【発明の効果】
【００１３】
本発明に係る茶道用の兼用炉は、蓋体が外されて本体に炉縁が載せられたときは、置炉として用いられ得る。この兼用炉はさらに、蓋体の上に本体が載せられたときは、風炉として用いられ得る。この兼用炉は、置炉の機能と風炉の機能とを併せ持つ。
【図面の簡単な説明】
【００１４】
【図１】図１は、本発明の一実施形態に係る茶道用の兼用炉が示された分解斜視図である。
【図２】図２は、図１の兼用炉が示された断面図である。
【図３】図３は、図１の兼用炉と共に用いられるカバーが示された斜視図である。
【図４】図４は、図１の兼用炉の使用状態が示された断面図である。
【図５】図５は、図１の兼用炉と共に用いられる炉縁が示された斜視図である。
【図６】図６は、図１の兼用炉の使用状態が示された断面図である。
【発明を実施するための形態】
【００１５】
以下、適宜図面が参照されつつ、好ましい実施形態に基づいて本発明が詳細に説明される。
【００１６】
図１及び２に示された兼用炉２は、茶道用である。この兼用炉２は、本体４と蓋体６とを備えている。図１から明らかなように、本体４は上方に開口している。図１における矢印の方向に蓋体６が移動することで、この蓋体６が本体４に収容されうる。図２には、蓋体６が本体４に収容された状態が示されている。この状態では、本体４の開口が蓋体６で塞がれている。
【００１７】
本体４は、木製である。本体４が木以外の材質からなってもよい。本体４は、基板８、一対の側板１０、枠部１２、鍔部１４及びストッパー１６を備えている。本体４が、ストッパー１６を備えなくてもよい。
【００１８】
基板８の平面形状は、矩形である。基板８は、その厚み方向が鉛直方向となるように、配置される。
【００１９】
それぞれの側板１０は、基板８に接合されている。接合は、接着剤によって達成されている。接合が、釘、ネジ等で達成されてもよい。一方の側板１０は、基板８の矩形の一辺に沿っている。この辺と対抗する辺に沿って、他方の側板１０が延在している。２つの側板１０の間には、スペースが形成されている。
【００２０】
平面視において、枠部１２の外形は矩形であり、枠部１２の内形も矩形である。枠部１２は側板１０の上に置かれており、この側板１０に接合されている。接合は、接着剤によって達成されている。接合が、釘、ネジ等で達成されてもよい。図２から明らかなように、枠部１２の外面は側板１０の外面とほぼ面一である。一方、枠部１２の内面は側板１０の内面よりも外側に位置している。従って、側板１０と枠部１２との間には、段差１８が生じている。
【００２１】
平面視において、鍔部１４の外形は矩形であり、鍔部１４の内形も矩形である。鍔部１４は枠部１２の上に置かれており、この枠部１２に接合されている。接合は、接着剤によって達成されている。接合が、釘、ネジ等で達成されてもよい。図２から明らかなように、鍔部１４の内面は枠部１２の内面とほぼ面一である。一方、鍔部１４の外面は枠部１２の外面よりも外側に張り出している。鍔部１４の上面は、幅広である。
【００２２】
ストッパー１６は、突条である。ストッパー１６は、鍔部１４の上面に接合されている。接合は、接着剤によって達成されている。接合が、釘、ネジ等で達成されてもよい。
【００２３】
蓋体６は、木製である。蓋体６が木以外の材質からなってもよい。蓋体６は、天部２０と４つの脚２２とを備えている。
【００２４】
図１から明らかなように、天部２０は格子状である。天部が、簀の子状であってもよい。天部が平板状であってもよい。天部が枠状であってもよい。
【００２５】
それぞれの脚２２は、天部２０から下方に向けて下りている。脚２２は、天部２０に接合されている。接合は、接着剤によって達成されている。接合が、釘、ネジ等で達成されてもよい。脚２２の数は、４には限られない。蓋体６が、水平方向に延在する２つの脚を備えてもよい。
【００２６】
図２に示されるように、蓋体６が本体４に収容されたとき、脚２２が段差１８に当接する。この当接により、蓋体６のさらなる降下が阻止されている。図２において、天部２０の上面は、鍔部１４の上面とほぼ面一である。
【００２７】
図３には、図１の兼用炉２に用いられるカバー２４が示されている。カバー２４は概して板状であり、かつ中心に穴２６を有している。平面視において、カバー２４の外形は矩形であり、カバー２４の内形（つまり穴２６の形状）は円形である。カバー２４の材質として、木材、合成樹脂等が挙げられる。
【００２８】
図４には、兼用炉２の使用状態の一例が示されている。図４には、兼用炉２以外にカバー２４、誘導加熱器２８（ＩＨヒーター）及び茶釜３０が示されている。誘導加熱器２８は、本体４に収容されている。誘導加熱器２８は、一対の側板１０の間のスペースに配置されている。誘導加熱器２８は、基板８の上に置かれている。茶釜３０は、誘導加熱器２８の上に置かれている。茶釜３０の一部は本体４の中に位置しており、一部は本体４の開口よりも上方に突出している。カバー２４は、一対の側板１０の間に架け渡されている。カバー２４の穴２６には、茶釜３０が貫通している。穴２６の内径は、茶釜３０の外径よりも若干大きい。カバー２４により、誘導加熱器２８の視認が阻止される。つまりカバー２４は、誘導加熱器２８のための目隠しである。カバー２４が用いられなくてもよい。外寸の大きなカバーが用意され、このカバーが鍔部１４の上に置かれてもよい。このカバーは、ストッパー１６の内側に位置する。茶釜３０のサイズに応じ、穴の内径の異なるカバーが用いられてもよい。誘導加熱器２８に代えて、他の加熱器具が用いられてもよい。他の加熱器具の一例として、電熱器が挙げられる。
【００２９】
図４から明らかなように、本体４は蓋体６の上に置かれている。従って、蓋体６の高さの分だけ、本体４は上方に位置する。これに応じ、茶釜３０も上方に位置する。この兼用炉２の外観及び茶釜３０の位置から醸し出される趣は、風炉（特に板風炉）の趣と共通する。この兼用炉２は、風炉として用いられ得る。
【００３０】
図５には、図１の兼用炉２に用いられる炉縁３２が示されている。炉縁３２は、概して枠状である。平面視において、炉縁３２の外形は矩形であり、炉縁３２の内形も矩形である。この炉縁３２は、本炉にも用いられる。茶室をもつ茶人は、通常は、炉縁３２も所有している。汎用的な炉縁３２が、本発明に係る兼用炉２にも用いられ得る。
【００３１】
図６には、兼用炉２の使用状態の他の例が示されている。図６には、兼用炉２以外に炉縁３２、誘導加熱器２８及び茶釜３４が示されている。誘導加熱器２８は、本体４に収容されている。誘導加熱器２８は、一対の側板１０の間のスペースに配置されている。誘導加熱器２８は、基板８の上に置かれている。茶釜３４は、誘導加熱器２８の上に置かれている。茶釜３４の一部は本体４の中に位置しており、一部は本体４の開口よりも上方に突出している。炉縁３２は、鍔部１４の上に置かれている。図６では、蓋体６は用いられていない。この兼用炉２に、図３に示されたカバー２４が用いられてもよい。カバー２４は、一対の側板１０の間に架け渡される。外寸の大きなカバーが用意され、このカバーが鍔部１４の上に置かれてもよい。このカバーは、ストッパー１６の内側に位置する。茶釜３０のサイズに応じ、穴の内径の異なるカバーが用いられてもよい。
【００３２】
図６から明らかなように、本体４は直接に畳の上に置かれる。従って、本体４の位置は、低い。一方、本体４の上には、炉縁３２が置かれている。この炉縁３２と本体４との組み合わせにより、重厚な趣が醸し出される。この趣は、置炉の趣と共通する。この兼用炉２は、置炉として用いられ得る。
【００３３】
図６に示されるように、炉縁３２の内面はストッパー１６の外面と当接している。この当接により、鍔部１４に対する炉縁３２のスライドが阻止されている。この兼用炉２では、炉縁３２の落下が生じにくい。
【００３４】
前述の通り、図２に示された状態では、蓋体６によって本体４の開口が塞がれている。この蓋体６の上に誘導加熱器２８が置かれてもよい。このような用い方は、洋室での茶会に適している。図２に示された状態で、兼用炉２が誘導加熱器２８と共に収納されてもよい。この兼用炉２は、万能である。
【産業上の利用可能性】
【００３５】
本発明に係る兼用炉は、様々な茶会の場で用いられ得る。
【符号の説明】
【００３６】
２・・・兼用炉
４・・・本体
６・・・蓋体
８・・・基板
１０・・・側板
１２・・・枠部
１４・・・鍔部
１６・・・ストッパー
１８・・・段差
２０・・・天部
２２・・・脚
２４・・・カバー
２６・・・穴
２８・・・誘導加熱器
３０、３４・・・茶釜
３２・・・炉縁
【図１】
0006391308.tif 000002
【図２】
0006391308.tif 000003
【図３】
0006391308.tif 000004
【図４】
0006391308.tif 000005
【図５】
0006391308.tif 000006
【図６】
0006391308.tif 000007